(57)【要約】【課題】棟選択の操作案内を必要とする来訪者の使い勝手を向上させるとともに、周辺環境の名称の修正や現在地を書き直したりする場合の利便性を向上させる。【解決手段】管理パーソナルコンピュータ１２から送信され、当該管理パーソナルコンピュータの操作により変更可能な周辺の地図情報としての各棟の位置情報の表示画面を、棟用集合玄関機１０ａ、１０ｂ、１０ｃおよび集中集合玄関機１１のうち、少なくとも集中集合玄関機のタッチパネル付表示部３２に待受画面として表示させる。この後、タッチパネル付表示部に表示された各棟の位置情報のうち選択した訪問先の棟の位置情報をタッチ操作すると、管理パーソナルコンピュータから送信される呼出操作画面に移行され、所定のタッチ操作による呼出操作を行うことにより、訪問先の居住者が入居している集合住宅居室内に設置された１つの住宅情報盤を呼び出すことができる。【選択図】　図１
2004120173.tif 000002
【特許請求の範囲】
【請求項１】
各棟の集合住宅居室内にそれぞれ設置され来訪者との間で通話を行うための通話部（２１）を有する複数の住宅情報盤（１ａ、２ａ、・・・、１ｂ、２ｂ、・・・、１ｃ、２ｃ、・・・）と、前記各棟の棟用集合玄関に設置され、棟内の居住者を呼び出して通話を行うための複数の棟用集合玄関機（１０ａ、１０ｂ、１０ｃ）と、集中集合玄関に設置され、全棟の居住者を呼び出して通話を行うための集中集合玄関機（１１）と、前記住宅情報盤、前記棟用集合玄関機および前記集中集合玄関機と幹線（Ｌ１、Ｌ２）を介して接続され、前記住宅情報盤、前記棟用集合玄関機および前記集中集合玄関機を制御するための集中制御機（１３）とを有し、前記棟用集合玄関機および前記集中集合玄関機のうち、少なくとも前記集中集合玄関機にはタッチパネル付表示部（３２）を備え、
前記棟用集合玄関機および前記集中集合玄関機のうち、少なくとも前記集中集合玄関機のタッチパネル付表示部に表示される表示画面（Ｐ１、Ｐ２）を送信するための管理パーソナルコンピュータ（１２）を有し、
前記集中集合玄関機のタッチパネル付表示部の表示画面には、前記管理パーソナルコンピュータから送信される周辺の地図情報としての各棟の位置情報（Ｐ１）が表示され、前記表示画面に表示された各棟の位置情報のうち、１つの棟の位置情報をタッチ操作すると呼出操作画面（Ｐ２）に移行され、前記呼出操作画面を所定のタッチ操作により１つの住宅情報盤を呼び出すことで、選択された棟情報を含む呼出信号（Ｓ１０）を前記集中制御機に伝送するためのＣＰＵ（３０）を備えたことを特徴とする集合住宅インターホンシステム。
【請求項２】
前記集中集合玄関機のタッチパネル付表示部に表示される前記周辺の地図情報としての各棟の位置情報は、前記管理パーソナルコンピュータの操作により変更可能であることを特徴とする請求項１記載の集合住宅インターホンシステム。
【請求項３】
前記集中集合玄関機は、前記集中集合玄関機のタッチパネル付表示部に表示される前記周辺の地図情報としての各棟の位置情報に、前記集中集合玄関機の設置場所を表示可能とするＩＤを設定可能な設定部（３６）を有することを特徴とする請求項１または請求項２記載の集合住宅インターホンシステム。
【発明の詳細な説明】
【０００１】
【発明の属する技術分野】
本発明は集合住宅インターホンシステムに係り、特に、複数の棟により構成される集合住宅において、選択した棟内の居住者を呼び出して通話を行うことができる集合住宅インターホンシステムに関する。
【０００２】
【従来の技術】
従来から、この種の集合住宅インターホンシステムとして、図５の構成図に示す集合住宅インターホンシステムが提案されている。
【０００３】
従来例の集合住宅インターホンシステムにおいて、集合住宅の共用部の集合玄関である集中集合玄関には、集合住宅を構成する複数の棟、ここでは、居住者の生活棟とされるＡ棟、Ｂ棟、Ｃ棟のうち、来訪者が訪問先の居住者が入居している棟を選択するための棟選択ボタン、ここでは、Ａ棟、Ｂ棟、Ｃ棟をそれぞれ選択するための棟選択ボタン１１０ａ、１１０ｂ、１１０ｃおよび当該棟選択ボタンの操作を検出するための検出部１１１を有する棟選択検出器１０１と、棟選択検出器１０１の検出部１１１に接続されており、来訪者による具体的な呼出操作および通話が行われる集中集合玄関機１０２と、棟選択検出器１０１の棟選択ボタン１１０ａ、１１０ｂ、１１０ｃの操作により選択された棟の位置および現在地を分かり易く記載した周辺地図の表示板１０３とが設置されている。
【０００４】
このような従来例の集合住宅インターホンシステムにおいて、周辺地図の表示板１０３に記載されている訪問先の棟の位置および現在地、ここでは、Ａ棟の位置および現在地である集中集合玄関を確認した来訪者は、棟選択検出器１０１の棟選択ボタン１１０ａ、１１０ｂ、１１０ｃのうち、訪問先のＡ棟を選択するための棟選択ボタン１１０ａを操作する。この操作を検出した棟選択検出器１０１の検出部１１１は、Ａ棟が選択された旨の選択情報を集中集合玄関機１０２にて表示させる。また、集中集合玄関機１０２に表示された選択情報を確認した来訪者は、訪問先の集合住宅居室に予め割り当てられている部屋番号を入力した後、呼出ボタンを操作するような呼出操作を行うことにより、訪問先の集合住宅居室内に設置された住宅情報盤（図示せず）に呼び出しをかけることができる（例えば、非特許文献１参照）。
【０００５】
【非特許文献１】アイホン　２００１／２００２年版　総合カタログ　３００〜３０１頁
【０００６】
【発明が解決しようとする課題】
しかしながら、従来例の集合住宅インターホンシステムにおいて、来訪者が訪問先の棟の位置および現在地を確認するためには、周辺地図の表示板１０３を集中集合玄関や各棟（Ａ棟、Ｂ棟、Ｃ棟）に設置する必要があり、周辺環境の名称を修正したり現在地を書き直したりする場合には、全ての周辺地図の表示板１０３について個別に修正／書き直さなければならず煩雑さを有していた。
【０００７】
また、従来例の集合住宅インターホンシステムでは、訪問先の棟の位置および現在地の確認と棟の選択操作とが一画面で確認／操作できないことにより、選択操作に不慣れな来訪者にとっては使い勝手が損なわれていた。
【０００８】
本発明は、上述の難点を解消するためになされたもので、訪問先の棟の位置および現在地の確認と棟の選択操作とを一画面で確認／操作させ、棟選択の操作案内を必要とする来訪者の使い勝手の向上を図るとともに、周辺環境の名称の修正や現在地を書き直したりする場合の利便性を向上させた集合住宅インターホンシステムを提供することを目的としている。
【０００９】
【課題を解決するための手段】
上述の目的を達成するため、本発明の集合住宅インターホンシステムは、棟内の集合住宅居室内にそれぞれ設置され来訪者との間で通話を行うための通話部を有する複数の住宅情報盤と、各棟の棟用集合玄関に設置され、棟内の居住者を呼び出して通話を行うための複数の棟用集合玄関機と、集中集合玄関に設置され、全棟の居住者を呼び出して通話を行うための集中集合玄関機と、住宅情報盤、棟用集合玄関機および集中集合玄関機と幹線を介して接続され、住宅情報盤、棟用集合玄関機および集中集合玄関機を制御するための集中制御機とを有する。棟用集合玄関機および集中集合玄関機のうち、少なくとも集中集合玄関機にはタッチパネル付表示部を備えている。棟用集合玄関機および集中集合玄関機のうち、少なくとも集中集合玄関機のタッチパネル付表示部に表示される表示画面を送信するための管理パーソナルコンピュータを有する。集中集合玄関機のタッチパネル付表示部の表示画面には、管理パーソナルコンピュータから送信される周辺の地図情報としての各棟の位置情報が表示され、表示画面に表示された各棟の位置情報のうち、１つの棟の位置情報をタッチ操作すると呼出操作画面に移行し、呼出操作画面を所定のタッチ操作により１つの住宅情報盤を呼び出すことで、選択された棟情報を含む呼出信号を集中制御機に伝送するためのＣＰＵを備えている。
【００１０】
このような集合住宅インターホンシステムによれば、管理パーソナルコンピュータから送信される周辺の地図情報としての各棟の位置情報および呼出操作画面のうち、周辺の地図情報としての各棟の位置情報の表示画面を、棟用集合玄関機および集中集合玄関機のうち、少なくとも集中集合玄関機のタッチパネル付表示部に待受画面として表示させることにより、来訪者は、呼出操作を行う前に訪問先の棟の位置を確認できる。この後、タッチパネル付表示部に表示された各棟の位置情報のうち選択した訪問先の棟の位置情報をタッチ操作すると呼出操作画面に移行され、所定のタッチ操作による呼出操作を行うことにより、訪問先の居住者が入居している集合住宅居室内に設置された１つの住宅情報盤を呼び出すことができる。
【００１１】
また、本発明の集合住宅インターホンシステムにおいて、集中集合玄関機のタッチパネル付表示部に表示される周辺の地図情報としての各棟の位置情報は、管理パーソナルコンピュータの操作により変更可能である。
【００１２】
このような集合住宅インターホンシステムによれば、管理パーソナルコンピュータの操作により、集中集合玄関機のタッチパネル付表示部に表示される周辺の地図情報としての各棟の位置情報（の表示画面）を容易に変更できる。
【００１３】
また、本発明の集合住宅インターホンシステムにおいて、集中集合玄関機は、集中集合玄関機のタッチパネル付表示部に表示される周辺の地図情報としての各棟の位置情報に、集中集合玄関機の設置場所を表示可能とするＩＤを設定可能な設定部を有する。
【００１４】
このような集合住宅インターホンシステムによれば、集中集合玄関機のタッチパネル付表示部に待受画面として表示される周辺の地図情報としての各棟の位置情報の表示画面に、現在地である当該集中集合玄関機の設置場所を付加して表示させることができる。
【００１５】
【発明の実施の形態】
以下、本発明の集合住宅インターホンシステムを適用した好ましい形態の実施例について、図面を参照して説明する。
【００１６】
図１は、本発明の実施例による集合住宅インターホンシステムを示す全体構成図である。
【００１７】
図１の全体構成図に示す集合住宅インターホンシステムは、集合住宅を構成する複数の棟、ここでは、居住者の生活棟とされるＡ棟、Ｂ棟、Ｃ棟の３棟のうち、Ａ棟、Ｂ棟、Ｃ棟の集合住宅居室内にそれぞれ設置されており、来訪者からの呼び出しが報知され、これを確認した居住者が呼出元の来訪者との間で通話を行うための複数の住宅情報盤、ここでは、Ａ棟の集合住宅居室内にそれぞれ設置される住宅情報盤１ａ、２ａ、・・・、Ｂ棟の集合住宅居室内にそれぞれ設置される住宅情報盤１ｂ、２ｂ、・・・、Ｃ棟の集合住宅居室内にそれぞれ設置される住宅情報盤１ｃ、２ｃ、・・・と、各棟（Ａ棟、Ｂ棟、Ｃ棟）の集合玄関である棟用集合玄関にそれぞれ設置されており、棟用集合玄関先に居る来訪者が訪問先である自棟内、または他棟内の居住者を呼び出して通話を行うための複数の棟用集合玄関機、ここでは、Ａ棟の棟用集合玄関に設置される棟用集合玄関機１０ａ、Ｂ棟の棟用集合玄関に設置される棟用集合玄関機１０ｂ、Ｃ棟の棟用集合玄関に設置される棟用集合玄関機１０ｃと、集合住宅の共用部の集合玄関である集中集合玄関に設置されており、集中集合玄関先に居る来訪者が訪問先である全棟（Ａ棟、Ｂ棟、Ｃ棟）の居住者を呼び出して通話を行うための集中集合玄関機１１と、通常、集合住宅の共用部に設置されており、棟用集合玄関機１０ａ、１０ｂ、１０ｃおよび集中集合玄関機１１のうち、少なくとも集中集合玄関機１１にて表示させる表示画面を管理するための管理パーソナルコンピュータ１２と、通常、集合住宅の共用部に設置されており、幹線Ｌ１、Ｌ２を介してそれぞれバス接続された住宅情報盤１ａ、２ａ、・・・、１ｂ、２ｂ、・・・、１ｃ、２ｃ、・・・、棟用集合玄関機１０ａ、１０ｂ、１０ｃおよび集中集合玄関機１１（の各機器）を制御するとともに、接続線Ｌ３を介して接続された管理パーソナルコンピュータ１２を制御するための集中制御機１３とを有する。
【００１８】
また、図１の全体構成図において、住宅情報盤１ａ、２ａ、・・・、１ｂ、２ｂ、・・・、１ｃ、２ｃ、・・・はそれぞれ同様な構成であり、自棟の棟用集合玄関先、または集中集合玄関先を含む他棟の棟用集合玄関先に居る来訪者からの呼び出しが報知される呼出報知部２０と、この呼び出しを確認した居住者が呼出元の来訪者との間で通話を行うための通話部２１とが備えられている。なお、各住宅情報盤１ａ、２ａ、・・・、１ｂ、２ｂ、・・・、１ｃ、２ｃ、・・・に備えられた機能を具現化するための回路構成の図示／説明は省略する。
【００１９】
さらに、図１の全体構成図において、棟用集合玄関機１０ａ、１０ｂ、１０ｃはそれぞれ同様な構成であり、棟用集合玄関先に居る来訪者が自棟内の居住者、または他棟内の居住者を選局呼び出しするための呼出機能、来訪者が呼出相手先の居住者との間で通話を行うための通話機能が備えられている。なお、各棟用集合玄関機１０ａ、１０ｂ、１０ｃに備えられた機能を具現化するための回路構成の図示／説明は省略する。
【００２０】
図２は、集中集合玄関機１１の具体的な構成を示すブロック図である。
【００２１】
図２のブロック図に示す集中集合玄関機１１は、当該集中集合玄関機の構成各部／回路を制御するためのＣＰＵ３０と、幹線Ｌ２を介してバス接続された棟用集合玄関機１０ａ、１０ｂ、１０ｃおよび集中制御機１３とＣＰＵ３０との間で送受信される諸データの伝送路を形成するための通信部３１と、管理パーソナルコンピュータ１２から送信される周辺の位置情報としての各棟（Ａ棟、Ｂ棟、Ｃ棟）の位置情報の表示画面、または来訪者による選局呼出操作が可能な呼出操作画面が表示されるＬＣＤ等の表示部３２ａおよび当該表示部の画面表示を各棟の位置情報の表示画面から呼出操作画面に移行させるため、来訪者によりタッチ操作されるタッチパネル３２ｂが一体的に構成されたタッチパネル付表示部３２と、タッチパネル付表示部３２のタッチパネル３２ｂのタッチ操作された部位の座標（Ｘ軸、Ｙ軸）を検出するための操作検出回路３３と、操作検出回路３３からの座標情報を検出したＣＰＵ３０により制御され、タッチパネル付表示部３２の表示部３２ａの表示画面を移行させるための表示回路３４と、タッチパネル付表示部３２のタッチパネル３２ｂのタッチ操作により選択された座標に該当する棟の位置情報と後述する設定部３６によりキー入力されるＩＤに起因した現在地情報が予め記憶されている記憶部３５と、当該システムの施工時等に操作され、タッチパネル付表示部３２の表示部３２ａに表示される周辺の地図情報としての各棟の位置情報に、当該集中集合玄関機の設置場所である集中集合玄関の位置情報を表示可能とするＩＤを設定可能な設定部３６と、来訪者が呼出相手先の居住者との間で通話を行うための通話部３７とが備えられている。
【００２２】
また、図１の全体構成図において、管理パーソナルコンピュータ１２は、集中集合玄関機１１のタッチパネル付表示部３２の表示部３２ａに表示される表示画面である周辺の地図情報としての各棟（Ａ棟、Ｂ棟、Ｃ棟）の位置情報および呼出操作画面が予め記憶されているとともに、上述の位置情報を変更させるための変更機能が備えられている。
【００２３】
このように構成された本発明の実施例による集合住宅インターホンシステムにおいて、以下、具体的な動作について説明する。
【００２４】
図１の全体構成図に示す管理パーソナルコンピュータ１２は、同図および図２のブロック図に示す集中集合玄関機１１のタッチパネル付表示部３２の表示部３２ａに表示させる表示画面として、図３（ａ）の画面構成図に示す周辺の地図情報としての各棟（Ａ棟、Ｂ棟、Ｃ棟）の位置情報の表示画面Ｐ１を含む情報信号Ｓ１と、図４（ａ）の画面構成図に示す全棟の居住者を呼び出すための呼出操作画面Ｐ２を含む情報信号Ｓ２とを接続線Ｌ３に（定期的に）出力しており、これら情報信号Ｓ１、Ｓ２には、集中集合玄関機１１を選局するための選局アドレスが付加されている。また、管理パーソナルコンピュータ１２からの情報信号Ｓ１、Ｓ２は、接続線Ｌ３、集中制御機１３、幹線Ｌ１を介して棟用集合玄関機１０ａ、１０ｂ、１０ｃと、接続線Ｌ３、集中制御機１３、幹線Ｌ１、図２のブロック図に示す集中集合玄関機１１の通信部３１を介してＣＰＵ３０とにそれぞれ伝送される。ここで、管理パーソナルコンピュータ１２からの情報信号Ｓ１、Ｓ２がそれぞれ入力された棟用集合玄関機１０ａ、１０ｂ、１０ｃおよび集中集合玄関機１１のＣＰＵ３０は、当該情報信号に付加されている選局アドレスと自端末に予め割り当てられているアドレスとを照合し、一致した場合にのみ当該情報信号に含まれている表示画面Ｐ１、Ｐ２を所定の記憶機能に記憶させる。ここでは、集中集合玄関機１１のＣＰＵ３０のみ当該アドレスが一致することにより、情報信号Ｓ１、Ｓ２に含まれている表示画面Ｐ１、Ｐ２が記憶機能をなす記憶部３５に記憶される。
【００２５】
また、図２のブロック図において、集中集合玄関機１１のＣＰＵ３０は、図３（ａ）の画面構成図に示す周辺の地図情報としての各棟（Ａ棟、Ｂ棟、Ｃ棟）の位置情報の表示画面Ｐ１とともに、設定部３６にて予めキー入力されたＩＤに起因した現在地情報、すなわち、当該集中集合玄関機の設置場所である集中集合玄関の位置情報を記憶部３５から読み出し、読み出された表示画面Ｐ１に現在地情報を付加して表示回路３４に出力する。これを検出した集中集合玄関機１１の表示回路３４は、周辺の地図情報としての各棟の位置情報Ｐ１に現在地である集中集合玄関の位置情報を付加させた図３（ｂ）の画面構成図に示す表示画面Ｐ１ａを同図および図１の全体構成図に示すタッチパネル付表示部３２の表示部３２ａに待受画面として表示させることにより、来訪者は、呼出操作を行う前に訪問先の棟の位置と現在地とを併せて確認できる。なお、集中集合玄関機１１のタッチパネル付表示部３２の表示部３２ａに表示される表示画面Ｐ１ａには、図３（ｂ）の画面構成図に示すように、訪問先の棟の選択を促す旨のメッセージも表示される。
【００２６】
ここで、集中集合玄関先に居る来訪者が、複数の棟（Ａ棟、Ｂ棟、Ｃ棟）のうち、訪問先の居住者が入居している棟、ここでは、図１の全体構成図に示すＡ棟で住宅情報盤１ａが集中住宅居室内に設置されている居住者を呼び出すにあたり、図１の全体構成図および図２のブロック図に示す集中集合玄関機１１のタッチパネル付表示部３２の表示部３２ａに表示されている図３（ｂ）の画面構成図に示す表示画面Ｐ１ａをもとに訪問先のＡ棟の位置と現在地とを確認した後、タッチパネル付表示部３２のタッチパネル３２ｂをタッチ操作して訪問先のＡ棟の位置情報を選択すると、タッチ操作された座標（Ｘ座標、Ｙ座標）を検出した操作検出回路３３からの座標情報がＣＰＵ３０に出力される。また、集中集合玄関機１１のＣＰＵ３０は、操作検出回路３３からの座標情報と記憶部３５に予め保存されている棟の位置情報とを照合し、一致が検出されたＡ棟の選択結果メッセージを記憶部３５から読み出した図４（ａ）の画面構成図に示す呼出操作画面Ｐ２に付加して表示回路３４に出力する。これを検出した集中集合玄関機１１の表示回路３４は、タッチパネル付表示部３２の表示部３２ａを制御し、図３（ｂ）の画面構成図に示す周辺の地図情報としての各棟の位置情報Ｐ１に現在地である集中集合玄関の位置情報を付加させた表示画面Ｐ１ａから図４（ｂ）の画面構成図に示すＡ棟の選択結果メッセージが付加された呼出操作画面Ｐ２ａに移行させる。
【００２７】
図１の全体構成図および図２のブロック図において、集中集合玄関機１１のタッチパネル付表示部３２の表示部３２ａに表示されている図４（ｂ）の画面構成図に示す呼出操作画面Ｐ２ａを確認した集中集合玄関先に居る来訪者が、訪問先の居住者が入居している集合住宅居室内に設置された住宅情報盤１ａに予め割り当てられている部屋番号をタッチパネル３２ｂの該当部をタッチ操作して入力すると、タッチ操作された座標（Ｘ座標、Ｙ座標）を検出した操作検出回路３３からの座標情報がＣＰＵ３０に出力される。また、集中集合玄関機１１のＣＰＵ３０は、操作検出回路３３からの座標情報より住宅情報盤１ａに予め割り当てられている部屋番号を検出し、この部屋番号とＡ棟の選択情報、設定部３６にて予めキー入力され記憶部３５に記憶されていたＩＤ、すなわち、当該集合玄関機からの呼び出しを示すＩＤとを含む呼出信号Ｓ１０を通信部３１に出力する。この呼出信号Ｓ１０は、通信部３１、幹線Ｌ１を介して棟用集合玄関機１０ａ、１０ｂ、１０ｃと集中制御機１３とにそれぞれ伝送される。ここで、集中集合玄関機１１からの呼出信号Ｓ１０が入力された棟用集合玄関機１０ａ、１０ｂ、１０ｃおよび集中制御機１３のうち、棟用集合玄関機１０ａ、１０ｂ、１０ｃは、当該呼出信号に付加されている選局アドレスと自端末に予め割り当てられているアドレスとを照合し、一致した場合にのみ当該呼出信号を有効であると判断する。また、集合制御機１３は、集中集合玄関機１１からの呼出信号Ｓ１０を、幹線Ｌ２を介して（全ての）住宅情報盤１ａ、２ａ、・・・、１ｂ、２ｂ、・・・、１ｃ、２ｃ、・・・にそれぞれ出力する。
【００２８】
また、図１の全体構成図において、集中制御機１３からの呼出信号Ｓ１０が入力された住宅情報盤１ａ、２ａ、・・・、１ｂ、２ｂ、・・・、１ｃ、２ｃ、・・・は、当該呼出信号に付加されている部屋番号および棟情報と自端末に予め割り当てられている部屋番号および棟情報とを照合し、一致した場合にのみ呼出報知部２０にて呼出音の鳴動や呼び出しの表示を行い、集中集合玄関先に居る来訪者からの呼び出しを居住者に報知する。ここでは、住宅情報盤１ａのみ当該部屋番号および棟情報が一致することにより、上述の呼出報知が行われ、これを確認した居住者が呼出応答すると、住宅情報盤１ａの通話部２１と、幹線Ｌ２、集中制御機１３、幹線Ｌ１、図２のブロック図に示す集中集合玄関機１１の通信部３１、ＣＰＵ３０を介して通話部３７との間の通話路が形成され、形成された通話路を介して音声信号を送受信させることにより来訪者と居住者との間で通話が行われる。
【００２９】
また、図１の全体構成図および図２のブロック図において、集中集合玄関機１１のタッチパネル付表示部３２の表示部３２ａに表示される周辺の地図情報としての各棟の位置情報の表示画面Ｐ１、すなわち、記憶部３５に記憶される図３（ａ）の画面構成図に示す表示画面Ｐ１は、管理パーソナルコンピュータ１２の操作により適宜、変更できることにより、周辺環境の名称の修正や現在地の書き直しが容易となる。
【００３０】
なお、本発明の実施例による集合住宅インターホンシステムによれば、管理パーソナルコンピュータ１２から送信される周辺の地図情報としての各棟の位置情報の表示画面Ｐ１（Ｐ１ａ）および呼出操作画面Ｐ２（Ｐ２ａ）を表示させる機器を、各棟（Ａ棟、Ｂ棟、Ｃ棟）の棟用集合玄関に設置される棟用集合玄関機１０ａ、１０ｂ、１０ｃおよび集中集合玄関に設置される集中集合玄関機１１のうち、集中集合玄関機１１にて表示させるべく構成部としてＣＰＵ３０、通信部３１、タッチパネル付表示部３２、操作検出回路３３、表示回路３４、記憶部３５、設定部３６、通話部３７を当該集中集合玄関機に備えたが、この集中集合玄関機１１と同様に棟用集合玄関機１０ａ、１０ｂ、１０ｃをそれぞれ構成することにより、訪問先の棟の位置および現在地の確認と棟の選択操作とが棟用集合玄関機１０ａ、１０ｂ、１０ｃのタッチパネル付表示部３２の一画面で確認／操作でき、棟選択の操作案内を必要とする来訪者の使い勝手が向上される。また、集中集合玄関機１１と同様な構成の棟用集合玄関機１０ａ、１０ｂ、１０ｃを適用するにあたり、当該棟用集合玄関機の記憶部３５に記憶される表示画面Ｐ１は、管理パーソナルコンピュータ１２の操作により適宜、変更できることにより、周辺環境の名称の修正や現在地の書き直しが容易となる。
【００３１】
【発明の効果】
以上の説明から明らかなように、本発明の集合住宅インターホンシステムによれば、集合玄関先（棟用集合玄関先、集中集合玄関先）に居る来訪者が、訪問先の棟の位置および現在地の確認と棟の選択操作とを、集合玄関機（棟用集合玄関機、集中集合玄関機）のタッチパネル付表示部の一画面で確認／操作できることより、棟選択の操作案内を必要とする来訪者の使い勝手が向上する。
【００３２】
また、集合玄関機（棟用集合玄関機、集中集合玄関機）のタッチパネル付表示部に表示される周辺の地図情報としての各棟の位置情報の表示画面は、当該表示画面の送信元である管理パーソナルコンピュータの操作により適宜、変更できることにより、周辺環境の名称の修正や現在地の書き直しが容易となる。
【図面の簡単な説明】
【図１】図１は、本発明の実施例による集合住宅インターホンシステムを示す全体構成図である。
【図２】図２は、本発明の実施例による集合住宅インターホンシステムにおいて集中集合玄関機の具体的な構成を示すブロック図である。
【図３】図３（ａ）は、本発明の実施例による集合住宅インターホンシステムにおいて管理パーソナルコンピュータから送信される周辺の地図情報としての各棟の位置情報の表示画面を示す画面構成図である。図３（ｂ）は、本発明の実施例による集合住宅インターホンシステムにおいて管理パーソナルコンピュータから送信される周辺の地図情報としての各棟の位置情報に現在地情報を付加した表示画面を示す画面構成図である。
【図４】図４（ａ）は、本発明の実施例による集合住宅インターホンシステムにおいて管理パーソナルコンピュータから送信される呼出操作画面を示す画面構成図である。図４（ｂ）は、本発明の実施例による集合住宅インターホンシステムにおいて管理パーソナルコンピュータから送信される呼出操作画面に棟の選択結果メッセージを付加した呼出操作画面を示す画面構成図である。
【図５】図５は、従来例の集合住宅インターホンシステムを示す構成図である。
【符号の説明】
１ａ、２ａ、・・・、１ｂ、２ｂ、・・・、１ｃ、２ｃ、・・・　・・・・・複数の住宅情報盤
１０ａ、１０ｂ、１０ｃ・・・・・複数の棟用集合玄関機
１１・・・・・集中集合玄関機
１２・・・・・管理パーソナルコンピュータ
１３・・・・・集中制御機
２１・・・・・通話部
３０・・・・・ＣＰＵ
３２・・・・・タッチパネル付表示部
３６・・・・・設定部
Ｐ１・・・・・周辺の地図情報としての各棟の位置情報の表示画面
Ｐ２・・・・・呼出操作画面
Ｓ１０・・・・・呼出信号
Ｌ１、Ｌ２・・・・・幹線
【図１】
2004120173.tif 000003
【図２】
2004120173.tif 000004
【図３】
2004120173.tif 000005
【図４】
2004120173.tif 000006
【図５】
2004120173.tif 000007